(57)【要約】  本発明は、自動復帰し電力が鍵から供給される知能回転シリンダー及びマッチンッグ錠前と鍵を提供するものである。その知能回転シリンダー及びマッチンッグ錠前は、鍵穴ユニットと回転板（１８）を含み、回転板（１８）には電子回路ユニット（２５）、電気機械的駆動ユニット（２７）、及び力伝動クラッチユニットが設けられ、鍵穴には力伝動クラッチユニットを復帰する復帰タペットが設けられ、電子鍵は、鍵ヘッド（７）、接点（１）、及び電子回路装置（５）を含み、電子回路装置（５）が電源を含み、鍵ヘッド（７）の外面の一部は金属スリーブ（２）を包み、すべての接点（１）はこの金属スリーブ（２）の外側に露出している。
2012516958.tif 000002
【特許請求の範囲】
【請求項１】
鍵穴（１１）及び接点（１４）を設けている鍵穴ユニットと、鍵穴ユニットに従って回転する回転板（１８）とを含み、
回転板（１８）には、接点（１４）と電気的に接続される電子回路ユニット（２５）、電子回路ユニット（２５）により制御される電気機械的駆動ユニット（２７）、及び、電気機械的駆動ユニット（２７）により駆動される力伝動クラッチユニットが設けられており、
鍵穴（１１）には、鍵を鍵穴（１１）に差し込む際に鍵ヘッド（７）によって押し入れられるとともに、鍵を鍵穴（１１）から抜き出す際に力伝動クラッチユニットを非伝動状態に復帰させる復帰タペット（２９）が設けられており、
この復帰タペット（２９）は、その一端が鍵穴（１１）の中に、他端が鍵穴（１１）を通して力伝動クラッチユニット側に設けられている、自動復帰し電力が鍵から供給される知能回転シリンダー装置。
【請求項２】
力伝動クラッチユニット側に設けられた復帰タペット（２９）の端部には湾曲アームがある、請求項１に記載の自動復帰し電力が鍵から供給される知能回転シリンダー装置。
【請求項３】
復帰タペット（２９）を復帰可能なスプリング（１７）または磁石（３８、３９）をさらに含む、請求項１に記載の自動復帰し電力が鍵から供給される知能回転シリンダー装置。
【請求項４】
力伝動クラッチユニットは、電気機械的駆動ユニット（２７）と復帰タペット（２９）によりそれぞれ異なる方向に駆動可能な一つのレバー（２２）を含む、請求項１に記載の自動復帰し電力が鍵から供給される知能回転シリンダー装置。
【請求項５】
電子回路装置に、復帰タペット（２９）が鍵が差し込まれる時に押されたのかを検出するタペット移動即時検出回路が設けられている、請求項１に記載の自動復帰し電力が鍵から供給される知能回転シリンダー装置。
【請求項６】
タペット移動即時検出回路は、復帰タペット（２９）によって押されて動作する電気スイッチ（Ｋ、２４）を含む、請求項５に記載の自動復帰し電力が鍵から供給される知能回転シリンダー装置。
【請求項７】
ペット移動即時検出回路は、コンデンサ（Ｃ）を含む、請求項５に記載の自動復帰し電力が鍵から供給される知能回転シリンダー装置。
【請求項８】
接点（１４）は鍵穴（１１）内の一側に設けられ、鍵穴（１１）内の他側には、知能回転シリンダー装置がケース内に装入される際に鍵が特定の回転位置でしか抜き出されないように制限可能な可動柱体（３１）が設けられている、請求項１に記載の自動復帰し電力が鍵から供給される知能回転シリンダー装置。
【請求項９】
鍵穴（１１）内の接点（１４）の取付位置は汎用コンピュータＵＳＢインターフェイスの接点取付位置に対応する、請求項１に記載の自動復帰し電力が鍵から供給される知能回転シリンダー装置。
【請求項１０】
ケース（４１）と、錠のラッチボルト装置と、請求項１〜９に記載の自動復帰し電力が鍵から供給される知能回転シリンダー装置とを含む、自動復帰し電力が鍵から供給される電子錠。
【請求項１１】
錠のラッチボルト装置は、錠のラッチボルト（４２）の上に設けられた駆動ストッパ（４５）と、錠のラッチボルト（４２）がロックされた時に滑るのを阻止する自動施錠式レバー（４３）とを含み、ケース（４１）には錠のラッチボルト（４２）がロックされた時に自動施錠式レバー（４３）が滑るのを阻止する段差（４８）が設けられている、請求項１０に記載の自動復帰し電力が鍵から供給される電子錠。
【請求項１２】
ケースと、請求項１〜９に記載の自動復帰し電力が鍵から供給される知能回転シリンダー装置と、従動回転装置とを含む、自動復帰し電力が鍵から供給される電子錠ヘッド。
【請求項１３】
従動回転装置は、従動回転盤（７６）、軸スリーブ（７５）及び力伝動出力用のサムホイール（７３）を含み、軸スリーブ（７５）は、その一端が従動回転盤（７６）に固定され、他端がサムホイール（７３）と力伝動的に接続され、従動回転盤（７６）にはレバー（２２）により駆動される駆動ストッパ（７７）が設けられている、請求項１２に記載の自動復帰し電力が鍵から供給される電子錠ヘッド。
【請求項１４】
従動回転装置は、屋内開錠つまみとして用いられるカップ状カバー（８３）を含み、このカップ状カバー（８３）には鍵による開錠を阻止可能な手動スイッチが設けられている、請求項１２又は１３に記載の自動復帰し電力が鍵から供給される電子錠ヘッド。
【請求項１５】
手動スイッチは、磁石（８２）が一端に設けられているレバー（７８）を含み、電子回路ユニット（２５）には、磁石（８２）による影響で開錠を阻止する電磁スイッチ部品（Ｗ、７９）が設けられている、請求項１４に記載の自動復帰し電力が鍵から供給される電子錠ヘッド。
【請求項１６】
従動回転装置は、ケース（５１）内に取り付けられた従動回転盤（５３）を含み、この従動回転盤（５３）には、力伝動出力棒（５４）と、レバー（２２）によって駆動される駆動ストッパ（５２）が設けられている、請求項１２に記載の自動復帰し電力が鍵から供給される電子錠ヘッド。
【請求項１７】
鍵ヘッド（７）と、鍵ヘッド（７）に取り付けられた接点（１）と、接点（１）と電気的に接続された電子回路装置（５）と、ケース（３）とを含み、
電子回路装置（５）は電源（６）を含み、
鍵ヘッド（７）の外面の一部には、鍵ヘッド（７）が回転シリンダー装置の鍵穴（１１）に差し込む時、鍵穴（１１）の中の復帰タペット（２９）への押し力を強めるとともに、回転シリンダー装置への回転捩れ力を強めるための金属スリーブ（２）を包み、
すべての接点（１）はこの金属スリーブ（２）の外側に露出している、自動復帰し電力が鍵から供給される知能回転シリンダー装置及びマッチング錠前とマッチングする電子鍵。
【請求項１８】
金属スリーブ（２）の一端にはＵ形の切欠きがあり、すべての接点（１）はこのＵ形の切欠きに露出している、請求項１７に記載の自動復帰し電力が鍵から供給される知能回転シリンダー装置及びマッチング錠前とマッチングする電子鍵。
【請求項１９】
鍵ヘッド（７）には貫通穴又は盲穴（８）がある、請求項１７又は１８に記載の自動復帰し電力が鍵から供給される知能回転シリンダー装置及びマッチング錠前とマッチングする電子鍵。
【請求項２０】
鍵ヘッド（７）の上の接点（１）の取付位置は汎用コンピュータＵＳＢインターフェイスの接点取付位置に対応する、請求項１７又は１８に記載の自動復帰し電力が鍵から供給される知能回転シリンダー装置及びマッチング錠前とマッチングする電子鍵。
【請求項２１】
電源（６）は充電式電池である、請求項１７又は１８に記載の自動復帰し電力が鍵から供給される知能回転シリンダー装置及びマッチング錠前とマッチングする電子鍵。
【発明の詳細な説明】
【技術分野】
【０００１】
本発明は錠前に関するものである。
【背景技術】
【０００２】
現代社会において、電子コンピュータ技術が迅速に発展している現在では、電子コンピュータ技術を利用したさまざまな電子錠も相次いで発明され、報道されている。人類の歴史上、電子錠が何十年の歴史を持っており、そして、現在ではより便利な指紋電子錠も発明された。しかし、今までこのさまざまな電子錠は高級ホテルや少数の高級事務室のドアでしか見られず、広範囲な家庭や事務室には普及され難い。
【０００３】
現代の電子錠としては、たくさんの同種類の電子錠の鍵を一本の鍵又は一本の指に統一できるにもかかわらず、それはドアの錠に限られる。従来の電子錠としては、引き出し、戸棚、手荷物、機器などの錠前を含む異なる種類の電子錠の鍵を一本の鍵又は一本の指に統一することは絶対に無理である。しかし、これらの錠前は我々が日常生活において必要であり、捨てられないものである。
【０００４】
従来の電子錠（指紋電子錠を含む）は広範囲な家庭や事務室に普及され難い理由は、錠の中に電源が入らなければならないことである（その絶対多数は電池である）。従来の電子錠の中の電池の存在により、電子錠の体積が大きすぎるため、引き出し、戸棚、手荷物、機器などの錠の体積に制限がある場合には応用できなくなる。それゆえ、これらの小型の錠の鍵を一本の電子鍵や一本の指に統一することは絶対に無理である。同時に、錠の中の電池の存在により、電池の交換を見落とせない面倒なことにしている。いつ電池を交換するか、どうやって電池を交換するかは、電子錠によって大きな不確定性が存在している。そうすると、長い間留守して又は油断して、電池の交換が早めにできない場合、或いは、まもなく電池の交換が必要な電子錠は、寒冷な天気により警報が間に合わずに電力を失った場合、ドアを破り、錠を壊すのは非常に不愉快である。
【０００５】
上記のような従来の電子錠の欠点を克服するために、もともと従来の電子錠の中に取り付けた電池を鍵の中に設計することは、新規の創意である。実際、電子錠の開錠原理については、その主なプロセスは、開錠する時のパスワード、或は開錠授権情報を識別し、その後モーターまたは電磁石を駆動し、キーポイントとなる機械装置を動作させ、最後に錠のラッチボルトを移動させるということである。電子錠の回路動作原理に関しては、鍵が電子錠に差し込んではじめて、鍵中の電子回路と電子錠内の電子回路とが一つの完全な回路システムを形成することができる。電池が電子錠内に設計されるか、それとも鍵中に設計されるかは、実は電子錠の基本的な動作原理に対して、大きな影響はない。しかし、もともと電子錠にあった電池が鍵中に移された際、主な問題は、鍵が開錠をしてから電子錠から抜き出される必要があるとき、錠の中の開錠状態にあるキーポイントとなる機械装置はどのように復帰するかということである。これは電子錠の利用の安全性及び信頼性に非常に重要な問題である。この問題を解決するために、現在周知されている錠中に電源のない電子錠では、鍵が鍵穴から抜き出される前に鍵を回転し、その回転力でキーポイントとなる機械装置を復帰する方法がある。この解決策は、電子錠の復帰の安全性及び信頼性を保証できないだけでなく、電子錠の構造を複雑にし、その体積を小さくすることができない。それゆえ、より多くの種類の錠前に応用できない。よって、今までこのような電子錠は実際に社会と市場から認められていない。
【０００６】
本発明が解決しようとする主な課題は以下の通りである。即ち、１、電子錠に電源がない場合、鍵が開錠をして鍵穴から抜き出された後、電子錠内のキーポイントとなる機械装置がどのように自動的且つ安全に復帰するか。２、どのようにドア錠以外のその他の種類の従来の錠にも電子知能化を実現させるか。３、一本の鍵ですべての種類の錠を開錠することを本格的に実現し、各人が持っているすべての鍵を本格的に一本に統一するために、どのようにドア錠、引き出し錠、戸棚錠、手荷物の錠などを含む異なる種類の錠前の構造形態や基本的な動作原理を統一するか。４、多くの鍵を一本に統一する場合にその構造形態や機械的強さ及び使用の便利さなど。５、どのように従来の機械錠をできるだけ便利に電子知能錠に交換するか。
【発明の概要】
【０００７】
本発明は、上記のような従来の電子錠とその鍵の欠点を克服するために、自動復帰し電力が鍵から供給される知能回転シリンダー装置、マッチング錠前及び鍵を提供することを目的とする。
【０００８】
本発明は、上述の技術課題を解決するために、下記のような方案を採用した。
本発明に係る自動復帰し電力が鍵から供給される知能回転シリンダー装置は、鍵穴及び接点を設けている鍵穴ユニットと、鍵穴ユニットに従って回転するする回転板とを含み、回転板には、接点と電気的に接続される電子回路ユニット、電子回路ユニットにより制御される電気機械的駆動ユニット、及び、電気機械的駆動ユニットにより駆動される力伝動クラッチユニットが設けられており、鍵穴の中には、鍵を鍵穴に差し込む際に鍵ヘッドによって押し入れられるとともに、鍵を鍵穴から抜き出す際に力伝動クラッチユニットを非伝動状態に復帰させる復帰タペットが設けられており、この復帰タペットは、その一端が鍵穴の中に、他端が鍵穴を通して力伝動クラッチユニット側に設けられている。
【０００９】
上述の知能回転シリンダー装置において、力伝動クラッチユニット側に設けられた復帰タペットの端部には湾曲アームがある。
【００１０】
上述の知能回転シリンダー装置において、復帰タペットを復帰可能なスプリングまたは磁石をさらに含む。
【００１１】
上述の知能回転シリンダー装置において、力伝動クラッチユニットは、電気機械的駆動ユニットと復帰タペットによりそれぞれ異なる方向に駆動可能な一つのレバーを含む。
【００１２】
上述の知能回転シリンダー装置において、電子回路装置には、復帰タペットが鍵が差し込まれる時に押されたのかを検出するタペット移動即時検出電子回路が設けられている。
【００１３】
上述の知能回転シリンダー装置において、タペット移動即時検出電子回路は、復帰タペットによって押されて動作する電気スイッチを含む。
【００１４】
上述の知能回転シリンダー装置において、タペット移動即時検出電子回路は、コンデンサを含む。
【００１５】
上述の知能回転シリンダー装置において、接点は鍵穴内の一側に設けられ、鍵穴内の他側には、知能回転シリンダー装置がケース内に装入される際に鍵が特定の回転位置でしか抜き出されないように制限可能な可動柱体が設けられている。
【００１６】
上述の知能回転シリンダー装置において、鍵穴内の接点の取付位置は汎用コンピュータＵＳＢインターフェイスの接点取付位置に対応する。
【００１７】
本発明に係る自動復帰し電力が鍵から供給される電子錠は、ケースと、錠のラッチボルト装置と、上述の何れかの自動復帰し電力が鍵から供給される知能回転シリンダー装置とを含む。
【００１８】
上述の電子錠において、錠のラッチボルト装置は、錠のラッチボルトの上に設けられた駆動ストッパと、錠のラッチボルトがロックされた時に滑るのを阻止する自動施錠式レバーとを含み、ケースには錠のラッチボルトがロックされた時に自動施錠式レバーが滑るのを阻止する段差が設けられている。
【００１９】
本発明に係る自動復帰し電力が鍵から供給される電子錠ヘッドは、ケースと、上述の何れかの自動復帰し電力が鍵から供給される知能回転シリンダー装置と、従動回転装置とを含む。
【００２０】
上述の電子錠ヘッドにおいて、従動回転装置は、従動回転盤、軸スリーブ及び力伝動出力用のサムホイールを含み、軸スリーブは、その一端が従動回転盤に固定され、他端がサムホイールと力伝動的に接続され、従動回転盤にはレバーにより駆動される駆動ストッパが設けられている。
【００２１】
上述の電子錠ヘッドにおいて、従動回転装置は、屋内開錠つまみとして用いられるカップ状カバーを含み、このカップ状カバーには鍵による開錠を阻止可能な手動スイッチが設けられている。
【００２２】
上述の電子錠ヘッドにおいて、手動スイッチは、磁石が一端に設けられているレバーを含み、電子回路ユニットには、磁石による影響で開錠を阻止する電磁スイッチ部品が設けられている。
【００２３】
本発明に係る自動復帰し電力が鍵から供給される電子錠ヘッドは、ケースと、回転シリンダー装置と、従動回転装置とを含み、回転シリンダー装置は、上述の何れかの自動復帰し電力が鍵から供給される知能回転シリンダー装置を含み、従動回転装置は、ケース内に取り付けられた従動回転盤を含み、この従動回転盤には、力伝動出力棒と、レバーによって駆動される駆動ストッパが設けられている。
【００２４】
本発明に係る自動復帰し電力が鍵から供給される知能回転シリンダー装置及びその関係するマッチング錠前とマッチングする電子鍵は、鍵ヘッドと、鍵ヘッドに設けられた接点と、接点と電気的に接続された電子回路装置と、ケースとを含み、電子回路装置は電源を含み、鍵ヘッドの外面の一部には、鍵ヘッドが回転シリンダー装置の鍵穴に差し込む時、鍵穴の中の復帰タペットの押し力を強めるとともに、回転シリンダー装置の回転捩れ力を増大させるための金属スリーブを包み、すべての接点はこの金属スリーブの外側に露出している。
【００２５】
上述の電子鍵において、金属スリーブの一端にはＵ形の切欠きがあり、すべての接点はこのＵ形の切欠きに露出している。
上述の電子鍵において、鍵ヘッドには貫通穴又は盲穴がある。
【００２６】
上述の電子鍵において、鍵ヘッドの上の接点取付位置は汎用コンピュータＵＳＢインターフェイスの接点取付位置に対応する。
上述の電子鍵において、電源は充電式電池である。
【発明の効果】
【００２７】
本発明の有益な効果は以下の通りである。
本発明は、復帰タペットが自動復帰する方法により、錠中に電源のない電子錠の使用をより安全で信頼的にした。本発明によれば、ドア錠以外の多種類の従来の錠前も電子知能化を実現することにより、これらの錠前の安全性と便利性を大幅向上することができる。本発明は、多種類の錠前の基本的な動作原理と構造形態の統一を実現することにより、人々の数多くの鍵を一本に統一することができる。同タイプの機械錠の代わりに本実施例の電子錠ヘッドを用いることにより、元の機械錠が直ちに電子錠にアップグレードできる。本発明の鍵の接点取付形態は、汎用コンピュータＵＳＢインターフェイスの接点取付形態に対応しているので、電子錠の鍵が汎用コンピュータを通じてより多くの技術的と機能的なサポートを得ることが可能となる。
以下、図面と実施例を組合わせて、本発明をより詳しく説明する。
【図面の簡単な説明】
【００２８】
【図１】本発明に係る電子鍵の実施例の部分断面図である。
【図２】図１の側面の部分断面図である。
【図３】本発明に係る電子鍵の実施例の基本回路図である。
【図４】本発明に係る知能回転シリンダー装置の実施例の側面の断面図（即ち図５のＡ−Ａ断面図）である。
【図５】本発明に係る知能回転シリンダー装置の実施例の正面図で、図４の左側面図でもある。
【図６】図４の中から電子回路装置２５を取り外した右側面図である。
【図７】本発明に係る知能回転シリンダー装置、電子錠又は電子錠ヘッドの実施例の基本回路図である（図中、電磁スイッチ部品Ｗは、場合に従って、接続するか又は分離するかを考える）。
【図８】本発明に係る鍵の実施例が本発明に係る知能回転シリンダー装置の実施例の鍵穴１１に差し込み、鍵接点１がちょうど電子錠接点１４と接触し、かつ復帰タペット２９がまだスイッチ２４を押し進めていない時の概略断面図である。
【図９】本発明に係る鍵の実施例が完全に本発明に係る知能回転シリンダー装置の実施例の鍵穴１１に差し込み、電気機械的駆動装置２７がレバー２２を駆動して力伝動状態にした際の概略断面図である。
【図１０】図９の右側面図である。
【図１１】図４のスプリング１７を磁石３８と磁石３９に置き換えた後の部分概略図である。
【図１２】本発明に係る知能回転シリンダー装置の実施例を電子錠または電子錠ヘッドの実施例に応用した後、その鍵穴１１の中の可動柱体３１がケース４０と構造的な関係を成した時の部分側面図である。
【図１３】図１２のＢ−Ｂ断面図である。
【図１４】図１３の鍵が回転した後の概念図である。
【図１５】本発明に係る電子錠の実施例の側面断面図である。
【図１６】図１５から電子錠の後カバー４９と電子回路装置２５を取り外した後の右側面図である。
【図１７】本発明に係る鍵の実施例が本発明に係る電子錠の実施例の鍵穴１１に差し込み、電気機械的駆動装置２７がレバー２２を駆動して力伝動状態にするとともに、復帰タペット２９がスイッチ２４を押した際の概略断面図である。
【図１８】図１７から電子錠の後カバー４９と電子回路装置２５を取り外した後の右側面図である。
【図１９】本発明に係る電子錠の実施例では鍵が回転し開錠する時、レバー２２がレバー４３を押し出して駆動ストッパ４５を動かす時の概念図である。
【図２０】図１９の錠のラッチボルト４２が開錠されて所定の位置に駆動された時の概念図である。
【図２１】本発明に係る電子錠の実施例では錠のラッチボルトが開錠された後、鍵を回転して錠のラッチボルト４２を施錠する時の概念図である。
【図２２】図２１の錠のラッチボルト４２が施錠されて所定の位置に駆動された時の概念図である。
【図２３】本発明に係る電子錠ヘッドの一つの実施例の側面断面図（即ち図２４のＣ−Ｃ断面図）である。
【図２４】本発明の電子錠ヘッドの一つの実施例の正面図で、図２３の左側面図でもある。
【図２５】図２３の右側面図である。
【図２６】市販され本発明に係る電子錠ヘッドの一つの実施例とマッチングする錠のラッチボルト構造（錠本体と通称する）の概略部分断面図である。
【図２７】図２３のＤ−Ｄ断面図である。
【図２８】本発明に係る電子錠ヘッドの一つの実施例では鍵が鍵穴１１に差し込み、電気機械的駆動装置２７がレバー２２を駆動して力伝動状態にした時、鍵を回転することにより開錠或は施錠を実現できる場合の断面図である。
【図２９】本発明に係る電子錠ヘッドの他の実施例の側面断面図（即ち図３０のＥ−Ｅ断面図）である。
【図３０】本発明に係る電子錠ヘッドの他の実施例の正面図で、図２９の左側面図でもある。
【図３１】図２９の右側面の部分断面図である。
【図３２】本発明に係る電子錠ヘッドの他の実施例では手動スイッチのレバー７８が分離された後、鍵が鍵穴１１に差し込んでも、電気機械的駆動装置２７はレバー２２を駆動することにより開錠を実現できない場合の断面図である。
【図３３】市販され本発明に係る電子錠ヘッドの他の実施例とマッチングする錠のラッチボルト構造（錠本体と通称する）の概略部分断面図である。
【図３４】図３３の左側面図である。
【図３５】本発明に係る電子錠ヘッドの他の実施例では手動スイッチが接続されている際、鍵が鍵穴１１に差し込んだ後、電気機械的駆動装置２７がレバー２２を駆動して力伝動状態にするとともに、復帰タペット２９がスイッチ２４を押した時の概念断面図である。
【図３６】図２９のＦ−Ｆ断面図である。
【図３７】図３５のＧ−Ｇ断面図である。
【発明を実施するための形態】
【００２９】
本発明に係る鍵の実施例：
本実施例の構造形態は、図１と図２に示す。図２は図１の側面部分断面図である。図１では、左端は、金属スリーブ２、接点１、及び絶縁材料などからなる鍵ヘッド７である。金属スリーブ２は、鍵ヘッド７の基部の外面に包んでおり、この金属スリーブ２の鍵ヘッド７に向いている一端にはＵ形の切欠きがある。このように金属スリーブ２を設計すれば、鍵ヘッド７の機械的な強さを強めることができ、鍵ヘッド７が回転シリンダー装置の鍵穴１１に差し込むとき、この金属スリーブ２は鍵穴１１の中の復帰タペット２９への押し力を強めるとともに、回転シリンダー装置への回転捩れ力を強める。金属スリーブ２のＵ形切欠きには、Ｕ形切欠きに露出する接点群が取り付けられており、各接点１の周辺には絶縁材料が充填されている。鍵ヘッド７上の接点群は片面接点群であり、その非接点面にも金属スリーブ２の当該面上のＵ形切欠きが見られる。非接点面上の金属スリーブ２のＵ形切欠き中には絶縁材料があり、接点１と絶縁材料の外面は金属スリーブ２の外面と略面一である。鍵ヘッド７上の接点１の取付位置はそれぞれ汎用コンピュータの国際標準ＵＳＢインターフェイスの接点取付位置に逐一対応する。即ち、鍵ヘッド７の機械的サイズや接点１の取付位置は国際標準ＵＳＢインターフェイスとマッチングしている。これで、本発明の鍵が汎用コンピュータを通じてより多くの技術的・機能的なサポートを得ることが可能となった。ＵＳＢインターフェイスの構造の定義については、国際業界組織はすでに明確に規定し発表した。本発明の鍵が回転して開錠するときに勝手に抜き出されないように、鍵ヘッド７に穴８を設置し（図１に示す）、この穴８は貫通穴でもいいし、盲穴（凹みと通称する）でもいい。その動作原理については、下記の知能回転シリンダー装置の実施例で述べる。
【００３０】
図１と図２の右側は本実施例のケース３である。ケース３の内部には電子回路装置５があり、電子回路装置５は導線を介して接点１に逐一接続される。電子回路装置５には電源６（ここでは電池である）と不揮発性メモリ付きマイクロプロセッサー４（ＣＰＵ）とが含まれる。マイクロプロセッサー４の不揮発性メモリには、各鍵を代表する唯一のパスワードが保存されている。図３は本発明の実施例の鍵の基本回路図であり、図中、鍵ヘッドの接点群のＲ端はスリープ解除または復帰の端であり、ＶＣは制御可能な電源出力端、Ｓは双方向シリアル信号通信端、Ｇは共通接地端である。図７は本発明に係る知能回転シリンダー装置、電子錠又は電子錠ヘッドの実施例の基本回路図である。図７では、マイクロプロセッサー（ＣＰＵ）も不揮発性メモリ付きのものである。このマイクロプロセッサーには開錠を許可する鍵のパスワードが事前に保存されている。鍵穴の接点群において、Ｒ端は鍵にスリープ解除または復帰の信号を提供し、ＶＣは電源入力端で、Ｓ端とＧ端の作用は鍵のと同じである。本発明の鍵が図７に示す鍵穴に差し込んだ時、図３の鍵ヘッドの接点Ｒ、ＶＣ、Ｓ、Ｇは図７の鍵穴中の同名の接点Ｒ、ＶＣ、Ｓ、Ｇとそれぞれ接触している。すると、鍵上のスリープ解除または復帰回路のＦ端は図７のコンデンサＣが発生した一つの短期的な低レベル信号を得る（スリープ解除または復帰回路の内部には、Ｆ端とＶＣＣの間にプルアップ抵抗があることにより、Ｆ端を常に高レベルにしている）。鍵のスリープ解除または復帰回路のＦ端が低レベルの信号を得たとき、スリープ解除または復帰回路のＲ端は低レベルを出力して、鍵のＣＰＵをスリープ解除または復帰する。また、鍵のＣＰＵがスリープ解除または復帰された後、鍵のＣＰＵのＣ１端は高レベルから低レベルに転換し、抵抗Ｒ１を通じて、トランジスタＶ１をオンする。すると、電池ＥはダイオードＤ１、トランジスタＶ１及び接点ＶＣを通じて、図７の回路に電源を提供する。図７の回路が電源を得た後、まず信号線（即ち接点Ｓ端）を通じて電子鍵にパスワードを問い合わせ、鍵も、パスワードを問い合わせる命令を受けた後、信号線（即ち接点Ｓ端）を通じて、図７の回路にそれが持っているパスワードを返事する。図７の回路は、鍵が返事したパスワードを受けた後、事前に図７の回路に保存されている鍵のパスワードと一致するかどうかを判断する。一致する場合、図７のＣＰＵはモーターＭを駆動し回転させて、開錠が可能となる。
【００３１】
図３では、電池Ｅは普通のボタン型電池でも、充電式電池でもかまわない。電池Ｅが充電式電池でない場合、図３のＲ２とＤ２は必要でなくなる。電池Ｅが充電式電池である場合、Ｒ２とＤ２は接続される。これにより、本実施例の鍵は汎用コンピュータのＵＳＢインターフェイスに挿入し、ＵＳＢインターフェイス中の電源を利用して電池Ｅを充電できる。
【００３２】
本発明に係る知能回転シリンダー装置の実施例：
図４は本実施例の側面断面図（即ち図５のＡ−Ａ線に沿った断面図）である。図５は本実施例の正面図（即ち図４の左側面図）で、図６は図４から電子回路装置２５を取り外した後の右側面図である。図４では、鍵穴ユニットには、円筒１３、絶縁材料１２、接点１４、及び可動柱体３１が含まれる。鍵穴ユニットの中心軸線には、断面が偏平な長方形を成している鍵穴１１があり、円筒１３の中空部内には、鍵穴１１の回りに絶縁材料１２が充填されており、接点１４はその後部が絶縁材料１２の中に嵌められ、他の部分が鍵穴１１の中に露出される。図５に示すように、本実施例の接点１４は合計４つあり、それらはすべて鍵穴１１の内の一側に設けられている。各接点１４の取付位置は汎用コンピュータＵＳＢインターフェイスの接点取付位置に対応する。鍵穴１１内には復帰タペット２９が設けられている。
【００３３】
鍵穴１１の接点面の対向側には、絶縁材料１２と円筒１３を貫通した一つの貫通穴があり、この穴の中には、知能回転シリンダー装置が電子錠又は電子錠ヘッドのケースに装入されたとき、鍵が特定の回転位置でしか抜き出されないように制限される可動柱体３１が設けられている。図１２に示すように、本実施例の知能回転シリンダー装置が電子錠又は電子錠ヘッドのケース４０に装入された時、ケース４０の下には可動柱体３１と同心でその可動柱体３１を可動にするようにあわせる貫通穴があり、この貫通穴内には、スライダ３５、スプリング３７、及び栓３６が取り付けられており、栓３６はケース４０にしっかりと詰めることにより、スプリング３７の下端を移動し難くし、スプリング３７の上端はスライダ３５を支持することにより、可動柱体３１を支持する。そこで、可動柱体３１の端部の錐形頭部は鍵穴１１内に押されることになる。知能回転シリンダー装置がケース４０に装入された後、ケース４０の中空部において、差し込んだ鍵ヘッド７とともに回転することができる。知能回転シリンダー装置がケース４０の図１２に示される正常位置にある場合、知能回転シリンダー装置の可動柱体３１を取り付けている貫通穴はケース４０の下の貫通穴の中心線と同じ直線になる。この場合、鍵ヘッド７が図１２又は図１３に示される鍵穴１１に差し込む時（図１３は図１２のＢ−Ｂ線断面図である）、鍵ヘッド７の頭部は斜面の力作用により可動柱体３１を押し、スライダ３５とスプリング３７を下方へ移動させるように押圧する。鍵ヘッド７が完全に差し込んだ後、可動柱体３１の頭部は鍵ヘッド７の穴８の中に入れ、可動柱体３１の下端部とスライダ３５との交差面はちょうど円筒１３とケース４０の中空部との弧形交差面にある。この時、鍵を回転すれば、可動柱体３１を知能回転シリンダー装置の円筒１３に従って回転させるように駆動することができる。しかし、この時、鍵ヘッド７を抜き出そうとすれば、可動柱体３１はもはやケース４０の下の貫通穴の中心線と同じ直線にないため、可動柱体３１が鍵ヘッド７の穴８から外してスライドすることができず、鍵ヘッド７は正常でない位置から抜き出されないことになる（図１４に示す）。これで、鍵が回転されて開錠する時、錠又は錠ヘッドとの電気的接触が保証される。鍵ヘッドの穴８と可動柱体３１の作用で、鍵ヘッド７は知能回転シリンダー装置が図１３に示す正常位置でしか差し込まれない、又は抜き出されない。
【００３４】
図４に示すように、鍵穴ユニットの右端は捩れ力を伝達する役割を果たす円筒１６と接続されている（本知能回転シリンダー装置の実際の応用によって、円筒１６は長めたり、縮めたりすることができる）。円筒１６の他端は円形の回転板１８と接続されている。回転板１８には一つの電気機械的駆動装置２７が取り付けられた。この電気機械的駆動装置２７にはモーターと引っ張る役割を果たす糸２８がある。糸２８の一端はモーターの軸端に固定され、モーターの軸が回転する際、糸２８はモーターの軸に巻き取られることにより、引っ張る役割を果たす。当然ながら、本実施例では、モーターを電磁石に置き換えても実現できる。回転板１８には力伝動クラッチユニットが取り付けられており、その主な機能は、本知能回転シリンダー装置の回転捩れ力を制御可能にその他の装置又は部品に伝動することであり、実際、それは制御可能な力伝動クラッチであり、「離」と「接」という二つの状態を持ち、「離」状態は非伝動状態で、「接」状態は伝動状態である。力伝動クラッチユニットには、レバー２２、レバー軸２１、及びブラケット３２が含まれ、図４と図６に示すように、レバー２２はレバー軸２１回りに回転し、レバー軸２１の中心軸線は回転板１８の台面と平行し、レバー軸２１はレバーのブラケット３２に取り付けられ、二つのレバーのブラケット３２は回転板１８の一部の台面とＵ形のブラケットを構成しており、レバー２２はＵ形ブラケット内で活動する。レバー２２の本体は、中央に軸穴のある鋼製角柱体であり、この角柱体の一端には鋼線３０が一体に固定されており、この鋼線３０の中心軸線はレバー２２の軸穴の中心線と平行し、この鋼線３０は角柱体とともに「Ｌ」形状を成し（図６と図１０参照）、モーターの軸端に固定された糸２８の他端はこの鋼線３０に固定される。レバー２２は、鋼線３０のある一端のテンションアームがパワーアームで、他端が抵抗アームである。レバー２２が図４と図６に示す位置にある時、リミットストッパ２０に取り付けられた磁石１９はレバー２２のパワーアームを吸い付けて、レバー２２を回転板１８の台面と垂直な位置に安定にさせる。この場合、レバー２２または力伝動クラッチユニットは非伝動の状態にあり、この時、モーターが動くと、糸２８を通じて、レバー２２上の鋼線３０を引っ張り、さらにレバー２２を図９と図１０が示すような、回転板１８の台面と平行な位置までに回転させる。レバー２２が回転板１８の台面と平行な位置にある時、レバー２２または力伝動クラッチユニットは、力の伝動を行なうことができる「接」状態（即ち伝動状態）にある。この位置にあるレバー２２の抵抗アームの端部が回転板１８の円形輪郭線の外部に伸びたため、この時に本知能回転シリンダー装置が回転すれば、レバー２２の抵抗アームの端部を通じて、回転力をその他の装置又は部品に伝達できる。本実施例では、リミットストッパ２０はレバー２２の活動範囲に対して、リミットの役割を果たす。
【００３５】
図４に示すように、鍵穴１１には、鍵が鍵穴１１に差し込む時に鍵ヘッド７により押し込まされるとともに、鍵を鍵穴１１から抜き出す時に力伝動クラッチユニットを非伝動状態に復帰させる復帰タペット２９が設けられており、この復帰タペット２９は細長い形状であり、その一端が鍵穴１１の中に設けられ、他端が鍵穴１１と円筒１６を通して、力伝動クラッチユニット側に設けられている。力伝動クラッチユニット側に設けられている復帰タペット２９の端部には「Ｌ」形の湾曲アームがある。本実施例の図４に示すように、復帰スプリング１７は復帰タペット２９の中央部に嵌められており、復帰スプリング１７の弾力は常に復帰タペット２９を鍵の抜き出す方向に押し出そうとする。鍵ヘッド７が鍵穴１１に差し込むとき（図９に示す）、スプリング１７は圧縮され、復帰タペット２９の右端の湾曲アームと回転板１８の台面の間の空間が開かれることにより、レバー２２がモーターの駆動により、図９に示すような伝動状態に回転する。そして、鍵ヘッド７を鍵穴１１から抜き出す時、復帰タペット２９はスプリング１７の作用で、鍵が抜き出される方向に移動する。すると、復帰タペット２９の湾曲アームの端部はレバー２２を強制的に図４に示すような非伝動状態に押すことにより、レバー２２または力伝動クラッチ装置の復帰を完成する。本実施例では、スプリング１７の取付位置は固定されず、例えば、復帰タペット２９の湾曲アームに取り付け、スプリング１７の一端を電子回路装置２５の回路基板に支持させ、他端を復帰タペット２９の湾曲アームに支持させることができ、その効果は前述のと同じである。本実施例では、スプリング１７は、図１１に示すような二つの磁石３８、３９で置き換えることができ、磁石３８は電子回路装置２５の回路基板に固定され、他の磁石３９は復帰タペット２９の湾曲アームに固定されており、取り付ける際、この二つの磁石３８、３９の同名の磁極を対向させて、磁場を反発させる。これにより、同様に前述のと同じ効果を奏している。
【００３６】
本実施例では、電子回路装置２５には、マイクロプロセッサー（ＣＰＵ）２３とその他の電子部品を取り付けた印刷基板が含まれる（図４に示す）。電子回路装置２５は回転板１８の固定柱２６に固定され、導線を介して電気機械的駆動装置２７と電気的接続され、かつ、導線１５を介して鍵穴ユニット内の接点１４と電気的に接続されている。回転板１８には、導線１５の出口３３がある。本実施例の電子回路システムは、図７に示すように、トランジスタＶ、抵抗Ｒ１、及びＣＰＵのＥ１端が電気機械的駆動装置２７（ここではモーター）の制御スイッチを構成し、ＣＰＵのＥ１端が低から高になると、トランジスタＶをオンしてモーターを回転させる。図７では、Ｗは電磁スイッチ部品であり、磁場の作用でトランジスタＶのベースを短絡させることにより、このような特殊な場合にモーターを回転させず、開錠を阻止することを保証する。本実施例では、Ｗは乾式リードスイッチであり（当然ながら、ホール電子スイッチに置き換えてもいい）、本知能回転シリンダー装置の電子錠又は電子錠ヘッドでの実際の使用に従って、それを取り入れるか取り外すかを考える。
【００３７】
本実施例の図７では、単極双投（ＳＰＤＴ：ｓｉｎｇｌｅ ｐｏｌｅ ｄｏｕｂｌｅ ｔｈｒｏｗ）ボタンスイッチＫ、コンデンサＣ、抵抗Ｒ２、及び接点Ｒは、復帰タペット２９が鍵を差し込むときに押されたのかを検出するタペット移動即時検出回路を構成し、当該検出回路は、開錠する前に復帰タペット２９が事前に人為的に無理やりに押し入れられることによる錠前の不安全な使用を防止するために設置されたものである。そのうち、コンデンサＣは充電電圧を蓄えるのに使用され、抵抗Ｒ２は放電するために使用される。スイッチＫは電子回路装置２５の回路基板に取り付けられる（図４のスイッチ２４参照）。鍵ヘッド７が完全に鍵穴１１に差し込んだ後、復帰タペット２９は最右側の位置に到着したので、復帰タペット２９の右端の湾曲アームがスイッチ２４のボタンを押す（図９参照）ことにより、コンデンサＣは、元々スイッチ２４の接点１との接続から、スイッチ２４の接点２との接続に切り替えられる（図７参照）。
【００３８】
上述の図３に示されたような鍵が図７に示される本知能回転シリンダー装置の鍵穴１１に差し込む過程において、スイッチ２４がまだ復帰タペット２９に押されて切り替えられていない場合（図８に示す）、鍵ヘッド７上の接点Ｒ、ＶＣ、Ｓ、Ｇはすでに図７の鍵穴の中の同名接点Ｒ、ＶＣ、Ｓ、Ｇとそれぞれ接続されている。この場合、スイッチ２４がまだ押されていないため、コンデンサＣはスイッチ２４の接点１と接続されている。そこで、コンデンサＣは速やかに充電される（鍵のスリープ解除または復帰回路の内部には、Ｆ端とＶＣＣの間にプルアップ抵抗があることにより、Ｆ端を常に高レベルにしている）。そして、コンデンサＣは充電を始めたばかりの瞬間には、鍵のスリープ解除または復帰回路のＦ端に一つの短期的な低レベルの信号を提供する。すると、鍵のスリープ解除または復帰回路のＲ端は低レベルを出力して鍵のＣＰＵをスリープ解除または復帰させる。鍵のＣＰＵがスリープ解除または復帰された後、鍵のＣＰＵのＣ１端は高レベルを低レベルに転換し、抵抗Ｒ１を通じてトランジスタＶ１をオンにする。すると、電池ＥはダイオードＤ１、トランジスタＶ１、接点ＶＣを通じて、図７の回路に電源を提供する。図７の回路が電源を得た後、まず信号線（即ち接点Ｓ端）を介して電子鍵にパスワードを問い合わせ、鍵も、パスワードを問い合わせる命令を受けた後、信号線（即ち接点Ｓ端）を介して、図７の回路に対して事前に鍵に保存しているパスワードを返事する。図７の回路は鍵が返事したパスワードを得た後、それが事前に図７のマイクロプロセッサー（ＣＰＵ）の中に保存している鍵のパスワードと一致するかどうかを判断する。同時に、図７のＣＰＵは短い間隔（復帰タペット２９が所定位置に押され、スイッチ２４を押した時間）を経た後、さらに、そのコンデンサＣと接続されるポートＥ２が高レベルであるかどうかを判断し（コンデンサＣのパラメーターを調整して、スイッチ２４が押される前に充電し終わる）、鍵が返事したパスワードが正確で且つＣＰＵのポートＥ２が高レベルである場合にのみ、図７のＣＰＵはモーターＭを駆動して回転させることにより、開錠を可能にする（図９に示す）。鍵が鍵穴１１に差し込む前に、復帰タペット２９が事前に人為的に無理やりに押し入れられ、動けなくなる場合、スイッチ２４は事前に復帰タペット２９により押され、コンデンサＣとスイッチ２４の接点１が切断されることになる。そうすると、鍵が鍵穴１１に差し込んだ時、コンデンサＣは充電できなくなるので、鍵が開錠する過程において、鍵が返事したパスワードが正しくても、コンデンサＣには高レベルがないため、図７のＣＰＵはモーターＭを駆動し回転させないことにより、錠前の安全使用が保証される（この時、モーターを回転させて開錠を許せば、事前に人為的に無理やりに動けなくなる復帰タペットは、鍵が抜き出された後、レバー２２を復帰できなくなるので、この錠は不安全な錠になってしまう）。従って、復帰タペット移動即時検出回路は、本実施例の安全使用に、重要な保護役割を果たしている。
【００３９】
本発明に係る電子錠の実施例：
これは上述の知能回転シリンダー装置の実施例を引き出し或は戸棚の錠に応用した実施例である。図１５は本実施例の側面断面図で、図１６は図１５から電子錠の後カバー４９と電子回路装置２５を取り外した後の右側面図である。図１５と図１６では、電子錠のケース４１の中空部と後カバー４９には、上述の実施例の知能回転シリンダー装置と、ケース４１内に上下にスライド可能な錠のラッチボルト装置が取り付けられている。そのうち、知能回転シリンダー装置の中の円筒１６は短くされ鍵穴ユニットと一体に結合されており、スプリング１７は復帰タペット２９の湾曲アームに移動可能に取り付けられ、また、図７の電磁スイッチ部品Ｗを取り外した。錠のラッチボルト装置には下部が馬蹄形の錠のラッチボルト４２、錠のラッチボルト４２に設けられている駆動ストッパ４５、及び、錠のラッチボルト４２がロックした時に滑るのを阻止する自動施錠式レバー４３が含まれる。図１６では、自動施錠式レバー４３の上には、自動施錠式レバー４３に作用するトーション・スプリング４４があり、このトーション・スプリング４４は常に自動施錠式レバー４３を図中の逆時計回りに回転させようとする。トーション・スプリング４４の一方のアームはストッパ４６に作用し、他方のアームは自動施錠式レバー４３の上アームに作用する。自動施錠式レバー４３の中央部には軸穴があり、軸４７はトーション・スプリング４４と自動施錠式レバー４３を貫通して錠のラッチボルト４２に取り付けられる。ケース４１には、錠のラッチボルト４２がロックした時に自動施錠式レバー４３が滑るのを阻止できる段差４８が設けられている。錠のラッチボルト４２または錠のラッチボルト装置が図１６に示すようなロック位置にある時、軸４７回りに回転する自動施錠式レバー４３の下アームの端部はケース４１の段差４８の上方に位置することにより、錠のラッチボルト４２が開錠方向へ滑らないよう保証している。鍵が本電子錠の実施例に差し込んで開錠する時、図７のコンデンサＣは充電され、復帰タペット２９は鍵ヘッド７に押され、スプリング１７は圧縮され、スイッチ２４は押されて切り替えられる。錠中のＣＰＵは、鍵が返事したパスワードが正確であり、且つコンデンサＣには高レベルを持つことを確認した後、モーターが回転するよう指令する。そこで、レバー２２或は力伝動クラッチ装置は力伝動状態に駆動される（図１７と図１８に示す）。この時、図１９に示すような矢印の方向に鍵を回転させば、鍵及び回転板１８に従って回転するレバー２２の端部は、まず錠のラッチボルト４２上の自動施錠式レバー４３の上アームを押し開ける。すると、自動施錠式レバー４３が軸４７回りに回転し、さらに自動施錠式レバー４３の下アームの端部がケース４１上の段差４８から離れる。その後、レバー２２の端部は駆動ストッパ４５に回転力を伝達し、さらに、錠のラッチボルト４２を開錠の方向へ摺動させる。錠のラッチボルト４２が完全に開錠されるまで、鍵を引き続き回転する（図２０に示す）。錠のラッチボルト４２が開錠され、鍵が抜き出された後、前の実施例に記述したように、復帰タペット２９はレバー２２を復帰する。この場合、開錠できる鍵を再び一本差し込めば、レバー２２は再び力伝動状態に駆動される。この時、図２１と図２２に示すような矢印の方向に鍵を回転させば、レバー２２の端部は別の方向から駆動ストッパ４５に力を加えることができる。錠のラッチボルト４２がロック位置に移動するまで、鍵を引き続き回転する。錠のラッチボルト４２がロック位置に到着すると、自動施錠式レバー４３の下アームの端部は、トーション・スプリング４４の作用により、ケース４１の段差４８にロックすることにより、錠のラッチボルト４２の安全施錠を実現する。
【００４０】
本実施例では、上述の知能回転シリンダー装置の可動柱体３１、ケース４１のスライダ３５、スプリング３７、栓３６の作用により、回転板１８が図１５と１６に示すような位置にある場合にのみ、鍵を差し込んだり抜き出したりすることにより、錠のラッチボルト装置の部品がレバー２２の動きを妨害することを避ける。
【００４１】
本発明に係る電子錠ヘッドの一つの実施例：
図２３は本実施例の側面断面図（即ち図２４のＣ−Ｃ断面図）である。図２４は本実施例の正面図で、図２３の左側面図でもある。図２５は図２３の右側面図である。図２３では、電子錠ヘッドのケース５１の中空部には前述の実施例の知能回転シリンダー装置と、ケース５１内に回転可能な従動回転装置が取り付けられている。そのうち、知能回転シリンダー装置の円筒１６は短くされ鍵穴ユニットと一体に結合している。スプリング１７は復帰タペット２９の湾曲アームに移動可能に取り付けられ、また、図７の電磁スイッチ部品Ｗを取り外した。従動回転装置には、ケース５１内に取り付けられた従動回転盤５３が含まれ、この従動回転盤５３は碗状回転体であり、その外側の中心には力伝動出力棒５４が設けられ、この力伝動出力棒５４は柱状であり、捩れ力の伝動に用いられ、その横断面は各種の非円形の形状であってよい（本実施例では羽根状の偏平な長方形である）。従動回転盤５３の内側縁には、レバー２２により駆動される駆動ストッパ５２が設けられている（図２３のＤ−Ｄ線に沿って切断した断面図である図２７参照）。図２６は市販されている、本実施例とマッチングして使用できる機械的扉錠の錠のラッチボルト機構（錠本体と通称する）の部分断面図である。本実施例の電子錠ヘッドは、ケース５１上のねじ山５５を通じてこの錠のラッチボルト機構に固定され、固定時に力伝動出力棒５４をその捩れ力伝動穴６４の中に差し込む。捩れ力伝動穴６４は、錠のラッチボルトのサムホイール６３の中心に位置し、サムホイール６３にはタイン６２がある。本実施例の力伝動出力棒５４がサムホイール６３を回転させるように駆動するとき、ケース６０の中にある錠のラッチボルト６１はタイン６２の移動に従い、開錠したり施錠したりする。
【００４２】
図２７は図２３のＤ−Ｄ断面図である。図２８は、本実施例で開錠できる一本の鍵を鍵穴１１の中に差し込み、電気機械的駆動装置２７がレバー２２を駆動して力伝動状態にさせるとき、鍵を回転して開錠又は施錠を実現することを示す概略断面図である。図２８では、レバー２２が駆動ストッパ５２を通じて、鍵の回転捩れ力を従動回転盤５３に伝達することにより、図２３の力伝動出力棒５４と図２６のサムホイール６３を回転させるように駆動して、錠のラッチボルト６１の開錠または施錠を実現する。
【００４３】
本実施例では、上述の知能回転シリンダー装置の可動柱体３１、及びケース５１のスライダ３５、スプリング３７、栓３６の作用により、回転板１８が図２３と２７に示すような位置にある場合にのみ、鍵を差し込んだり抜き出したりすることにより、従動回転盤５３の駆動ストッパ５２がレバー２２の動きを妨害することを避ける。
【００４４】
同タイプの機械錠の代わりに本実施例の電子錠ヘッドを用いることにより、元の機械錠が直ちに電子錠にアップグレードできる。
【００４５】
本発明の電子錠ヘッドの他の実施例：
図２９は本発明の電子錠ヘッドの他の実施例の側面断面図（即ち図３０のＥ−Ｅ断面図）である。図３０は本発明の電子錠ヘッドの他の実施例の正面図で、図２９の左側面図でもある。図３１は図２９の右視部分断面図である。本実施例では、電子錠ヘッドのケース７１とサムホイール７３は、何れも普通のほぞ差し式機械的扉錠の錠ヘッドの瓢箪形のケースとサムホイールに類似し、その長さと横断面のサイズも市場で流行しているほぞ差し式機械的扉錠の錠ヘッドのサイズを参考にしている。本実施例のケース７１、前述の実施例の知能回転シリンダー装置、及び一つの従動回転装置を結合すれば本実施例になる。本実施例の図２９では、前述の実施例の知能回転シリンダー装置の鍵穴ユニットと円筒１６はケース７１の中空部に設けられており、前述の実施例の知能回転シリンダー装置の回転板１８と回転板１８に取り付けられた部品及び装置はケース７１の片側に設けられている。従動回転装置には従動回転盤７６、軸スリーブ７５、サムホイール７３とカップ状カバー８３が含まれ、従動回転盤７６は環状であり、軸スリーブ７５と一体に固定されるとともに、円筒１６の外側に嵌められている。従動回転盤７６は回転板１８とケース７１の間にあり、軸スリーブ７５はケースを通して、ケース７１の切欠きに設置され力伝動のために使用されるサムホイール７３と捩れ力伝動的に接続されている。従動回転盤７６には、知能回転シリンダー装置に従ってその従動回転盤を回転させることが可能な駆動ストッパ７７が固定されている。ストップリング７２は、知能回転シリンダー装置と従動回転装置をケース７１から分離しないように制限する。穴８４は固定穴である。図２９では、一つの茶碗状のカップ状カバー８３が従動回転盤７６に固定されている。このカップ状カバー８３の外側には、鍵による開錠を屋内で阻止可能な手動スイッチが設置されている。この手動スイッチには、レバー７８、弾性片８１、及び磁石８２が含まれる。レバー軸８０はカップ状カバー８３の外側面の中心に固定され、磁石８２はレバー７８の一端に固定される（図３１参照）。弾性片８１の協力でレバー７８を図２９に示す位置から図３２に示す位置に手動的に移動できる。本実施例の知能回転シリンダー装置の基本回路図は図７に示される。その中で、電磁スイッチ部品Ｗは、乾式リードスイッチ又はホール電子スイッチであり、知能回転シリンダー装置の電子回路装置の回路基板の中心に取り付けられる。本実施例の上述の手動スイッチのレバー７８が図３２に示す位置に手動的に移動されたとき、磁石８２は回路基板の電磁スイッチ部品７９をオフさせて、図７のトランジスタＶのベースを短絡接地させることにより、鍵による開錠を阻止する。本実施例の手動スイッチは普通の機械的扉錠の屋内安全スイッチと同じ機能である。
【００４６】
本実施例とマッチングしている扉錠の錠のラッチボルト構造は図３３と図３４に示され、図３４は図３３の左側面図であり、図において、パネル９０、ハンドル９１、錠のラッチボルト９４を含むほぞ差し式機械扉錠の錠のラッチボルト機構はドア９２に固定されており、錠ヘッドを取り付けるための位置には、元の機械錠ヘッドの代わりに本実施例の電子錠ヘッドを用いる。本実施例の電子錠ヘッドは、ねじ９５とケース７１上の穴８４を通じて、錠のラッチボルト機構に固定され、本実施例のサムホイール７３のタインは錠のラッチボルト９４の歯槽の中に嵌める。図３４の左側には、屋内開錠つまみとしてのカップ状カバー８３が見える。屋内でカップ状カバー８３を回転すると、図２９の構造及び前述の構造原理に基づき、カップ状カバー８３は従動回転盤７６と軸スリーブ７５を通じて、サムホイール７３を回転させるように駆動することにより、錠のラッチボルト９４を移動させるように駆動して、屋内の開錠と施錠を実現する。
【００４７】
手動スイッチのレバー７８が図２９に示すような開かれていない状態にある場合、開錠できる一本の鍵を本実施例の鍵穴１１の中に差し込んだ時（図３５参照）、電気機械的駆動装置２７はマイクロプロセッサーによる制御でレバー２２を駆動して元々図３６に示すような本来の状態から図３５と３７に示すような状態に変える（図３６は図２９のＦ−Ｆ線に沿った断面図で、図３７は図３５のＧ−Ｇ断面図である）。そうすると、レバー２２又は力伝動クラッチ装置は力伝動可能な「接」状態にある。この時、鍵を回転させば、レバー２２と駆動ストッパ７７を通じて、従動回転盤７６とサムホイール７３を回転させるように駆動することにより、錠のラッチボルト９４の開錠と施錠ための移動が実現できる。
【００４８】
本実施例では、上述の知能回転シリンダー装置の可動柱体３１、及びケース７１のスライダ３５、スプリング３７、栓３６の作用により、回転板１８が図２９、３５、３６、３７に示すような位置にある場合にのみ、鍵を差し込んだり抜き出したりすることにより、人々の普通の機械錠に対する鍵の差し込み・抜き出しの習慣と同じようにする。
本実施例を使用すれば、元々の機械錠は直ちに電子錠にアップグレードできる。
【図１】
2012516958.tif 000003
【図２】
2012516958.tif 000004
【図４】
2012516958.tif 000005
【図５】
2012516958.tif 000006
【図６】
2012516958.tif 000007
【図８】
2012516958.tif 000008
【図９】
2012516958.tif 000009
【図１０】
2012516958.tif 000010
【図１１】
2012516958.tif 000011
【図１２】
2012516958.tif 000012
【図１３】
2012516958.tif 000013
【図１４】
2012516958.tif 000014
【図１５】
2012516958.tif 000015
【図１６】
2012516958.tif 000016
【図１７】
2012516958.tif 000017
【図１８】
2012516958.tif 000018
【図１９】
2012516958.tif 000019
【図２０】
2012516958.tif 000020
【図２１】
2012516958.tif 000021
【図２２】
2012516958.tif 000022
【図２３】
2012516958.tif 000023
【図２４】
2012516958.tif 000024
【図２５】
2012516958.tif 000025
【図２６】
2012516958.tif 000026
【図２７】
2012516958.tif 000027
【図２８】
2012516958.tif 000028
【図２９】
2012516958.tif 000029
【図３０】
2012516958.tif 000030
【図３１】
2012516958.tif 000031
【図３２】
2012516958.tif 000032
【図３３】
2012516958.tif 000033
【図３４】
2012516958.tif 000034
【図３５】
2012516958.tif 000035
【図３６】
2012516958.tif 000036
【図３７】
2012516958.tif 000037
【図３】
2012516958.tif 000038
【図７】
2012516958.tif 000039
【国際調査報告】
2012516958.tif 000040
2012516958.tif 000041
2012516958.tif 000042
2012516958.tif 000043
2012516958.tif 000044
2012516958.tif 000045
2012516958.tif 000046